(57)【特許請求の範囲】
【請求項１】
容器（６）の閉鎖システム（１２）の完全性を試験するための装置（１３）であって、前記容器が、主開口部（６．２）を備える上部（６．１）と、底部（６．３）とを有し、主開口部（６．２）が閉鎖システム（１２）によって閉鎖され、前記装置（１３）が、
（ａ）容器（６）の少なくとも上部（６．１）が挿入可能なチャンバ（１）を形成する壁（１５）を有する筐体（１４）と、
（ｂ）容器またはその上部（６．１）が挿入される場合、容器（６）に対してチャンバ（１）の少なくとも一部を密閉するように構成された密閉手段（３）であって、
密閉手段が、装置およびチャンバ（１）を、密閉手段の上にあり、上部（６．１）が配置された上流部分、および密閉手段の下にありかつ底部（６．３）が配置された下流部分に分割する密閉手段（３）と、
（ｃ）チャンバ（１）の上流部分からのガスの流出を可能にするための、チャンバ（１）の上流部分の筐体（１４）の壁（１５）内の出口（２）と、
を備え、
容器（６）の上部（６．１）が装置（１３）のチャンバ（１）に挿入されるときに、閉鎖システム（１２）の上端部と装置（１３）の壁（１５）の上部との間の接触を防止するための位置決め手段（４、５）を、装置（１３）が備えることを特徴とし、
前記位置決め手段および密閉手段が２つの別個の手段である装置（１３）。
【請求項２】
装置が温度制御手段を備える、請求項１に記載の装置。
【請求項３】
壁（１５）の一部分が位置決め手段（４、５）として機能するように構成される、請求項１または２に記載の装置。
【請求項４】
位置決め手段が装置の一体部分である、請求項１〜３のいずれか１つまたは複数に記載の装置。
【請求項５】
位置決め手段が、装置から取り外し可能である部分であって、容器上に配置可能な部分である、請求項１〜３のいずれか１つまたは複数に記載の装置。
【請求項６】
密閉手段が少なくとも１つのＯリングを備える、請求項１〜５のいずれか１つまたは複数に記載の装置。
【請求項７】
密閉手段が弾性材料でできている、請求項１〜６のいずれか１つまたは複数に記載の装置。
【請求項８】
位置決め手段がＯリングを備える、請求項１〜７のいずれか１つまたは複数に記載の装置。
【請求項９】
位置決め手段が少なくとも１つのストッパを備える、請求項１〜８のいずれか１つまたは複数に記載の装置。
【請求項１０】
位置決め手段がストッパであり、ストッパが装置の壁と一体である、請求項１〜９のいずれか１つまたは複数に記載の装置。
【請求項１１】
位置決め手段が密閉手段と同じ材料から作られている、請求項１〜１０のいずれか１つまたは複数に記載の装置。
【請求項１２】
前記材料が可撓性材料である、請求項１１に記載の装置。
【請求項１３】
位置決め手段が、プラスチック、金属、または剛性複合材料などの剛性材料から作られている、請求項１〜１０のいずれか１つまたは複数に記載の装置。
【請求項１４】
筐体が、プラスチック、金属、または合金から作られている、請求項１〜１３のいずれか１つまたは複数に記載の装置。
【請求項１５】
筐体の少なくとも一部が、鋼、アルミニウム、またはプラスチックから作られている、請求項１〜１４のいずれか１つまたは複数に記載の装置。
【請求項１６】
筐体の大部分が、鋼、アルミニウム、またはプラスチックから作られている、請求項１〜１５のいずれか１つまたは複数に記載の装置。
【請求項１７】
装置が検出器に接続されている、請求項１〜１６のいずれか１つまたは複数に記載の装置。
【請求項１８】
前記温度制御のための手段が、温度制御を実行するように構成される、請求項２〜１７のいずれか１つまたは複数に記載の装置。
【請求項１９】
温度が、定義された温度を有する液体ＬＩＱＵＴＥＭＰによって制御される、請求項２から１８のいずれかに記載の装置。
【請求項２０】
前記温度制御が加熱および／または冷却を備える、請求項２〜１９のいずれかに記載の装置。
【請求項２１】
前記温度制御のための手段が、筐体（１４）、壁（１５）、装置（１３）全体、隙間（２４）、またはそれらの組み合わせにＬＩＱＵＴＥＭＰを通すための手段である、請求項１９または請求項１９に従属する限りにおいて請求項２０に記載の装置。
【請求項２２】
装置が、２つの筐体、容器（６）または容器の上部（６．１）が挿入される第１の筐体、および第１の筐体に接続可能な第２の筐体（８）を備える、請求項１〜２１のいずれか１つまたは複数に記載の装置。
【請求項２３】
前記第２の筐体が試験ガス用の入口を備える、請求項２２に記載の装置。
【請求項２４】
装置が、１つ以上の温度センサを備えるか、または１つ以上の温度センサを装置に配置するための手段を有する、請求項１〜２３のいずれかに記載の装置。
【請求項２５】
容器（６）を閉鎖する閉鎖システム（１２）の完全性を試験する方法であって、方法は請求項１〜２４のいずれかに記載の装置により実行され、
閉鎖システム（１２）で閉鎖された容器（６）を提供するステップと、
（ａ）容器閉鎖完全性試験装置（１３）のチャンバ（１）に容器（６）の閉鎖システム（１２）を配置するステップであって、チャンバ（１）の密閉壁（１５）が容器（６）と対向し、
容器が、試験ガスで試験用に満たされているか、または満たされることができ、
閉鎖システム（１２）が、チャンバ（１）の壁（１５）との接触を位置決めシステム（４、５）によって防止されているステップと、
（ｂ）容器（６）の内部と密閉されたチャンバ（１）の内部との間に圧力差を発生させるステップと、
（ｃ）閉鎖システム（１２）を通る試験ガスを検出するステップと、
を備える方法。
【請求項２６】
容器が請求項１〜２４のいずれか１つまたは複数で定義された装置に挿入され、容器が追加の開口部（６．４）を備え、追加の開口部が別のチャンバ内に配置され、前記別のチャンバ内で試験ガスの一定の圧力が維持される、請求項２５に記載の方法。
【請求項２７】
一定の圧力が大気圧である、請求項２６に記載の方法。
【請求項２８】
試験ガスがヘリウムである、請求項２５〜２７のいずれか１つまたは複数に記載の方法。
【請求項２９】
方法において温度が制御される、請求項２５〜２８のいずれか１つまたは複数に記載の方法。
【請求項３０】
方法が室温で実行される、請求項２５〜２９のいずれか１つまたは複数に記載の方法。
【請求項３１】
方法が、−３０℃、−４０℃、−５０℃、−６０℃、−７０℃、−８０℃、−９０℃、−１００℃またはそれ以下で実行される、請求項２５〜２９のいずれか１つまたは複数に記載の方法。
【請求項３２】
方法が−８０℃で実行される、請求項３１に記載の方法。
【請求項３３】
方法の任意の時点で温度が制御される、請求項２５〜３１のいずれか一項に記載の方法。
【請求項３４】
チャンバ（１）、筐体（１４）、壁（１５）、装置（１３）全体、容器（６）、閉鎖システム（１２）の周り、またはそれらの組合せの温度が制御される、請求項２９〜３３のいずれか１つまたは複数に記載の方法。
【請求項３５】
温度制御が温度を低下させることを備える、請求項２９〜３４のいずれか一項に記載の方法。
【請求項３６】
方法が制御された温度で行われ、温度が、定義された温度を有する液体ＬＩＱＵＴＥＭＰによって制御される、請求項２９〜３５のいずれか一項に記載の方法。
【請求項３７】
ＬＩＱＵＴＥＭＰによる温度の制御が、好ましくは、筐体（１４）、壁（１５）、装置（１３）全体、隙間（２４）、またはそれらの組合せにＬＩＱＵＴＥＭＰを通すことによって行われる、請求項３６に記載の方法。
【請求項３８】
請求項１〜２４のいずれか１つまたは複数で定義された装置（１３）に、請求項２５〜３７のいずれか１つまたは複数で定義された方法を実行させる命令を含む、コンピュータ可読プログラム。
【請求項３９】
請求項３８で定義されたコンピュータプログラムを記憶した、コンピュータ可読媒体。
【発明の詳細な説明】
【技術分野】
【０００１】
本発明は、特に、開口部を示す容器自体、および蓋などの容器のこの開口部を閉じるために使用される閉鎖システムの２つの部分から構成される医薬品容器の、漏れ試験による容器閉鎖完全性試験のための装置および方法、ならびに品質管理におけるそれらの応用を開示する。
【背景技術】
【０００２】
異なる分野のための試験装置は従来技術に記載されている。特に、米国特許第６，０１８，９８７号明細書は、プラスチックまたはガラスの容器および容器閉鎖部材を、閉鎖部材を通して漏出する周囲のガスの測定用の固定位置に保持するための固定具を開示している。第１のクランプは、閉鎖部材の上に閉鎖カバーを配置し、第２のクランプは、ボトルネックの周りにスライド可能なヨークを配置する。第１のクランプおよび第２のクランプは、密閉可能に一緒に固定される。閉鎖カバーは、２つのクランプによって形成されたガス室チャンバをパージし、閉鎖部材を通って漏れるガスを集めるためのガス通路を有する。
【０００３】
国際公開第２０１２／０２０５４３号は、密閉容器のための密閉検査装置および、そのための密閉検査方法を開示している。密閉検査デバイスは、容器本体が挿入される開口部を有するストッパ部材、フランジの一部が取り付けられた密閉部材および、チャンバを形成し、密閉部材で支持部材を覆う形状を有する閉鎖部材が設けられている。この装置は、加圧手段と、加圧されたチャンバの圧力を検出し、所定時間経過後の圧力降下の変化に応じて密閉容器１０からの漏出の有無を判定する漏出判定手段とをさらに備える。
【０００４】
仏国特許出願公開第１．４４１．９６３号明細書は、圧力下のガスを含む容器、特にエアゾール缶の気密性をチェックするための方法および装置を開示している。カバー（ベル）は、エアゾールが挿入可能な筐体シリンダを有する。シリンダの上部ネックは、Ｏリングに作用する４つのＵ字型クランプ要素用の支持体を形成する。要素は、試験中にエアゾール缶を保持するのに役立つ。
【０００５】
米国特許第９，０９７，６０９号明細書は、試験対象の特定の物体の寸法に適合するカスタムまたは特別に製造された試験チャンバを作成する必要無しに、漏れについて密封された容器および装置を試験するための多用途気密シール漏れ検出装置を開示している。試験チャンバのサイズは、ベローズの使用によって機械的に調整されてよい。この装置は、漏れについて試験中の密封された物体の特定の部分を隔離および試験するように適合されてよい。
【０００６】
仏国特許出願公開第２７６８２２４号明細書は、圧力下のガスを含む機器要素上のいかなるガス漏れも検出するための方法および装置を開示している。一実施形態によれば、本装置は２つの異なるゾーンを覆う２つの筐体を備える。上部筐体の下縁は、同じ直径を有する表面に載るシールを備えてよい。
【０００７】
本発明は品質管理の分野に属する。より正確には、本発明は医薬品の品質管理の分野に属する。本発明は、特に医薬品容器の容器閉鎖完全性試験のための装置および方法に関する。
【０００８】
Ａｌｅｊａｎｄｒａ  ＮｉｅｔｏらのＰＤＡ  Ｊ  Ｐｈａｒｍ  Ｓｃｉ  Ｔｅｃｈｎｏｌ、２０１６年、７０、１２０〜１３３は、修正されたヘリウム漏れ試験を使用する、凍結条件における物理的方法（ｐＣＣＩ）によるＣＣＩ（容器閉鎖完全性）の直接評価のための新規の方法（ＴｈｅｒｍＣＣＩ）の開発を開示している。
【０００９】
Ａｌｅｊａｎｄｒａ  ＮｉｅｔｏらのＰＤＡ  Ｊ  Ｐｈａｒｍ  Ｓｃｉ  Ｔｅｃｈｎｏｌ、２０１８年３月１５日、ｄｏｉ：１０．５７３１／ｐｄａｊｐｓｔ．２０１７．００８３９１は、凍結貯蔵条件下の医薬品ＣＣＳ（容器閉鎖システム）用のゴム栓の密閉挙動を調査するために適用される有限要素（ＦＥ）シミュレーションを開示している。
【００１０】
本発明の意味において、医薬品容器は、２つの部分、すなわち２つの装置、開口部を示す容器自体、および蓋などの容器のこの開口部を閉じるために使用される閉鎖システムから構成される。容器閉鎖完全性試験は、容器を閉じるこの閉鎖システムの動作を試験するために使用される。
【００１１】
容器閉鎖完全性試験は、特にガラスバイアル／ゴム型の閉鎖システムの場合、医薬品製造の重要な部分である。封入された組成物の無菌性は大きな懸念事項である。そのため、閉鎖システムが微生物に対する効果的なバリアを提供するか否かを判断することが重要である。
【００１２】
１つの効果的な試験方法は、微生物効能試験である。この試験は効果的であるが、非常に労働集約的であり、多数のサンプルを必要とし、結果が評価され得るまでに長い遅延時間がかかる。
【００１３】
閉鎖システムの完全性を試験する代替方法は漏れ試験である。これらの試験システムでは、閉鎖システムを有する容器は、検出可能な試験ガス、通常はヘリウムを使用して試験される。簡単なシステムでは、試験ガスが閉鎖システムから漏れているか否かが試験される。
【００１４】
図１Ａおよび図１Ｂは、ヘリウム漏れ試験装置の一般的な原理を示している。簡単に言うと、試験される容器（６）は、出口（２）、および通常はＯリングである密閉手段（３）を備える試験チャンバ（１）に挿入される。密閉手段により、閉鎖システムが配置され得るチャンバ（１）を外気から分離することが可能になる。出口および閉鎖システムを備えるチャンバ（１）は、容器が挿入されると、密閉手段または上流部分の上の装置の上部と呼ばれ、密閉手段の反対側の装置の部分は、密閉手段または下流部分の下の装置の下部と呼ばれる。
【００１５】
いくつかの方法では、容器はヘリウムまたは他の検出可能なガスを含む。他の方法では、容器は、試験の目的で、密閉手段の下に開口部（６．４）が設けられており、それは、容器（６）の内側から閉鎖システム（１２）がヘリウムと接触するために、定義された圧力のヘリウムまたは別の検出可能なガスが容器に入ることを可能にする。出口は、通常、ヘリウム検出器、通常は質量分光検出器に接続される。
【００１６】
次いで、チャンバ（１）は排気され、容器内部とチャンバとの間に圧力差が生じる。ヘリウムまたは他の検出可能なガスが漏れ始め、それによって検出される圧力が特定される。ガスが事前定義されたしきい値を下回る圧力でのみ検出された場合、容器は密閉されていると見なされる。
【００１７】
本発明者らは、本方法がまだ気付かれていない欠点を備えることを見出した。方法は排気を伴うので、このようにして生成された圧力差が容器をチャンバ壁に押し付けるか、または吸い込む可能性がある（図１Ｂ参照）。言い換えれば、容器は真空によってチャンバに吸い込まれる可能性がある。これはまた、容器を誤ってチャンバの内側に配置し、閉鎖システムをチャンバ壁に接触させることによってすでに起こる可能性がある。本発明者らは、特に閉鎖システムが装置の壁と接触する場合に、漏れ試験の結果に影響を与える可能性があるいくつかの要因が存在することを見つけた。これにより、閉鎖システム上に、誤検出および検出漏れをもたらす可能性がある新しい圧力源が追加される。
【００１８】
一般的に使用される閉鎖システムが図２Ａおよび図２Ｂに描かれている。一般的な医薬品閉鎖システムは、バイアルなどの容器上にあり、圧着キャップ（１９）によって定位置に保持されているゴム栓（１８）を備えてよい。加えて（図２Ｂ）、閉鎖システムは、別の保護または装飾用の蓋（２０）を備えてよい。ゴム栓はバイアル上に効果的に圧縮され（図３Ａ参照）、バイアルを密閉するためにバイアルに力（２１、２２）を加えるかまたは力を働かせる。この力は残留シール力（ＲＳＦ）として定義され、ゴム栓の表面およびバイアルの開口部の内側の表面に依存する。サイズに応じて、残留シール力は通常２５〜７５  Ｎである。
【００１９】
効果的に、圧縮されたゴム栓（１８）は圧縮されたばねのように動作する。残留シール力は、ゴム栓によってかけられた圧縮力を間接的な測定で決定され得る。
【００２０】
測定原理は、図３Ａおよび図３Ｂに描かれている抗力に基づく。第１の力ベクトルである圧縮されたゴム栓の圧縮力（２２）は、上向きである（図３Ａ、図３Ｂ）。第２の力ベクトル（２１）である、ＲＳＦを試験するときに加えられる力は下向きである（図３Ａ、図３Ｂ）。ＲＳＦは、キャップ付きバイアルの上部に一定の圧縮力を加える通常の応力−ひずみ計器で試験されてよい。キャップ付きバイアルのＲＳＦは、両方の力ベクトル（２１、２２）が等しい値をもつポイントである（図３Ｂ）。計器によって加えられた力がゴム栓の圧縮力を超えると、圧着キャップのスカートが下向きに動き始め、バイアルフランジから離れる（黒い円（２３）、図３Ｃ）。計器は、キャップ付きバイアルに加えられた圧縮力対距離の関数を記録し、この関数からＲＳＦを計算する。
【００２１】
要約すると、ＲＳＦ試験により、バイアルにキャップをかぶせるために使用されたキャッピング機器とは無関係に、キャップ付きバイアルのシール力の計算が可能になる。異なる閉鎖システムおよび閉鎖システムと容器の異なる組合せは、異なる許容可能なＲＳＦ範囲を有し、異なるキャッピング機器設定を要求する可能性がある。
【００２２】
図２Ａによる閉鎖システムを有するバイアルについての残留シール力のサンプル計算は、以下の特定された残留シール力をもたらす。
【００２３】
ゴム栓（１８）に加わるバイアル圧力（２２）：
ａ）ＰＡＩＲ＝１ａｔｍ＝１０１ｋＰａ＝１０１ｋＮ／ｍ２＝１０．１Ｎ／ｃｍ２＝１０Ｎ／ｃｍ２
ｂ）バイアルのネックの内径が０．８８ｃｍで、バイアルのこのネックのそれぞれの面積がＡ２の５０ｍｌバイアルの場合、ＲＳＦ  ＮＳＥＡＬは以下のように計算される。
ＮＳＥＡＬ＝Ａ２＊ＰＡＩＲ＝（０．８８ｃｍ）２＊３．１４＊ＰＡＩＲ＝２．４３ｃｍ２＊１０Ｎ／ｃｍ２＝２４．３Ｎ
【００２４】
ゴム栓が容器閉鎖完全性試験装置のチャンバ壁（図３Ｄ）に載っている場合、ゴム栓にかかる圧力とそれに伴う残留シール力が大幅に増加する。
【００２５】
栓に加わるバイアル圧力は、
ａ）ＰＡＩＲ＝１ａｔｍ＝１０１ｋＰａ＝１０１ｋＮ／ｍ２＝１０．１Ｎ／ｃｍ２＝１０Ｎ／ｃｍ２
ｂ）内径が２．１２５ｃｍの５０ｍｌバイアルの場合：
ＮＳＥＡＬ＝Ａ１−Ａ２＊Ｐａｉｒ＝（（２．１２５ｃｍ）２＊３．１４−（０．８８ｃｍ）２＊３．１４）＊Ｐａｉｒ＝（１４．１８ｃｍ２−２．４３ｃｍ２）＊１０Ｎ／ｃｍ２＝１１７．５Ｎ
である。
【先行技術文献】
【特許文献】
【００２６】
【特許文献１】米国特許第６，０１８，９８７号明細書
【特許文献２】国際公開第２０１２／０２０５４３号
【特許文献３】仏国特許出願公開第１．４４１．９６３号明細書
【特許文献４】米国特許第９，０９７，６０９号明細書
【特許文献５】仏国特許出願公開第２７６８２２４号明細書
【非特許文献】
【００２７】
【非特許文献１】Ａｌｅｊａｎｄｒａ  ＮｉｅｔｏらのＰＤＡ  Ｊ  Ｐｈａｒｍ  Ｓｃｉ  Ｔｅｃｈｎｏｌ、２０１６年、７０、１２０〜１３３
【非特許文献２】Ａｌｅｊａｎｄｒａ  ＮｉｅｔｏらのＰＤＡ  Ｊ  Ｐｈａｒｍ  Ｓｃｉ  Ｔｅｃｈｎｏｌ、２０１８年３月１５日、ｄｏｉ：１０．５７３１／ｐｄａｊｐｓｔ．２０１７．００８３９１
【発明の概要】
【発明が解決しようとする課題】
【００２８】
そのため、従来技術の欠点を取り除く装置および方法が必要である。
【課題を解決するための手段】
【００２９】
閉鎖システムの装置の壁との接触を回避する装置は、従来技術の問題を克服することが分かった。そのため、本発明は、閉鎖システムの装置の壁との接触を防止する装置に関する。
【００３０】
装置に加えて、本発明はさらに、前記装置を使用することにより容器の閉鎖システムの完全性を試験するための方法、および無菌組成物用の医薬品容器の閉鎖システムの閉鎖完全性を試験するための前記装置または前記方法の使用に関する。
【図面の簡単な説明】
【００３１】
【図１Ａ】従来技術による容器閉鎖完全性試験装置の概略図である。
【図１Ｂ】従来技術の特定の欠点を示す概略図である。
【図２Ａ】一般的な閉鎖システムの概略図である。
【図２Ｂ】一般的な閉鎖システムの概略図である。
【図３Ａ】残留シール力の特定の図である。
【図３Ｂ】残留シール力の特定の図である。
【図３Ｃ】残留シール力の特定の図である。
【図３Ｄ】容器の閉鎖システムが容器閉鎖完全性試験装置の壁と接触したときに残留シール力の変化の図である。
【図４Ａ】本発明の様々な実施形態による装置の様々な概略図である。
【図４Ｂ】本発明の様々な実施形態による装置の様々な概略図である。
【図４Ｃ】本発明の様々な実施形態による装置の様々な概略図である。
【図４Ｄ】本発明の様々な実施形態による装置の様々な概略図である。
【図４Ｅ】本発明の他の実施形態による装置の様々な概略図である。
【図４Ｆ】本発明の他の実施形態による装置の様々な概略図である。
【図４Ｇ】本発明の様々な実施形態による装置の様々な概略図である。
【図４Ｈ】本発明の様々な実施形態による装置の様々な概略図である。
【図４Ｉ】本発明の様々な実施形態による装置の様々な概略図である。
【図４Ｊ】特定の実施形態の写真である。
【図４Ｋ】特定の実施形態の写真である。
【図４Ｌ】特定の実施形態の写真である。
【図４Ｍ】特定の実施形態の写真である。
【図４Ｎ】位置決め手段の実施形態の写真である。
【図５】本発明による方法における使用に適した第２の筐体をさらに備える、本発明による装置の図である。
【図６】装置（１３）と容器（６）との間の隙間（２４）に温度制御された液体（２５）を加えた、本発明による装置の概略図である。
【図７Ａ】外部温度制御装置ＤＥＶＣＯＯＬ（３０）に挿入された、本発明による装置（１３）の概略図である。
【図７Ｂ】例示的な実施形態の写真である。
【図８Ａ】容器用の例示的な温度センサ挿入の概略図である。
【図８Ｂ】容器用の例示的な温度センサ挿入の概略図である。
【図８Ｃ】例示的な実施形態の写真である。
【図８Ｄ】温度センサを利用する本発明の装置の例示的な実施形態の概略図である。
【図８Ｅ】温度センサを利用する本発明の装置の例示的な実施形態の概略図である。
【図８Ｆ】外部温度制御装置内の温度センサを使用する、本発明による装置の概略図である。
【図８Ｇ】例示的な実施形態の写真である。
【図９】密閉されたバイアルの測定結果を示す図である。測定は、＋２０℃〜−８０℃の温度範囲で実行された。黒い点：それぞれの温度でのヘリウム漏出率。灰色の線：選択されたしきい値。
【図１０Ａ】特定の実施形態の写真である。
【図１０Ｂ】特定の実施形態の写真である。
【図１０Ｃ】特定の実施形態の写真である。
【図１０Ｄ】特定の実施形態の写真である。
【発明を実施するための形態】
【００３２】
本発明は、閉鎖完全性についての一般的なヘリウムベースの漏れ試験が、試験中の容器の位置決めまたは容器に加えられた圧力のために、誤った結果を生じる可能性があるという研究結果に基づいている。
【００３３】
本発明は、非加圧容器に特に適している。
【００３４】
本発明は、容器（６）の閉鎖システム（１２）の完全性を試験するための装置（１３）に関し、前記容器は主開口部（６．２）を備える上部（６．１）と、底部（６．３）とを有し、主開口部（６．２）は閉鎖システム（１２）によって閉鎖され、前記装置（１３）は、
（ａ）容器（６）の少なくとも上部（６．１）が挿入可能なチャンバ（１）を形成する壁（１５）を有する筐体（１４）と、
（ｂ）容器またはその上部（６．１）が挿入される場合、容器（６）に対してチャンバ（１）の少なくとも一部を密閉するように構成された密閉手段（３）であって、
密閉手段が、装置およびチャンバ（１）を、密閉手段の上にあり、上部（６．１）が配置された上流部分、および密閉手段の下にあり、底部（６．３）が配置された下流部分に分割する密閉手段（３）と、
（ｃ）チャンバ（１）の上流部分からのガスの流出を可能にするための、チャンバ（１）の上流部分の筐体（１４）の壁（１５）内の出口（２）と、
を備え、
容器（６）の上部（６．１）がデバイス（１３）のチャンバ（１）に挿入されるときに、閉鎖システム（１２）の上端部とデバイス（１３）の壁（１５）の上部との間の接触を防止するための位置決め手段（４、５）を、デバイス（１３）が備えることを特徴とし、前記位置決め手段および密閉手段は２つの別個の手段であり、位置決め手段（４、５）はチャンバ（１）の上流部分に位置する。
【００３５】
本発明の好ましい実施形態では、前記容器は非加圧容器である。
【００３６】
チャンバ（１）の上流部分は、密閉手段の上流のチャンバの一部であり、チャンバ（１）の密閉可能な部分である。
【００３７】
チャンバ（１）の上流部分に出口（２）を配置することにより、出口はチャンバの密閉可能な部分に配置される。
【００３８】
容器は、主開口部（６．２）に加えて開口部（６．４）を備えることができ、好ましくは、開口部（６．４）は底部（６．３）に位置する。
【００３９】
本発明のいくつかの実施形態では、壁（１５）の一部は、位置決め手段（４、５）として機能するように構成される。
【００４０】
本発明によれば、前記位置決め手段および密閉手段は２つの別個の手段である。
【００４１】
好ましい実施形態では、位置決め手段は装置の一体部分である。
【００４２】
いくつかの実施形態では、位置決め手段は、装置から取り外し可能であり、容器に配置され得る部分である。
【００４３】
位置決め手段により、容器、特にその閉鎖システムが、容器閉鎖完全性試験中に装置の壁と接触しないことが保証される。適切な位置決め手段は当業者には明らかであろう。
【００４４】
装置および位置決め手段の非限定的な例が、図４Ａ〜図４Ｉの概略図に見出され得る。
【００４５】
図４Ａおよび図４Ｂは装置を示し、位置決め手段（４）は密閉手段（３）の上方に配置される。この場合、位置決め手段は、容器が位置決め手段を乗り越えて動くのを防止する。位置決め手段は、容器のネックを円周方向に囲むか、容器の肩の上に静止し、閉鎖システムを囲む停止リングであってよい（図４Ｎ）。
【００４６】
図４Ｃおよび図４Ｄは、同様の実施形態を示す。この実施形態では、位置決め手段（４）はストッパであり、これは、容器がさらに挿入されること、またはストッパを通過することを防止する。
【００４７】
図４Ｅおよび図４Ｆは装置（本発明の一部ではない）を示し、密閉手段（３）は、同時に位置決め手段（４）として働くように構成されている。
【００４８】
図４Ｇおよび図４Ｈは、位置決め手段（５）として働くように統合された手段を備える装置を示す。この場合、位置決め手段は壁（１５）の内側のリムであり得る。
【００４９】
図４Ｉは装置を示し、位置決め手段（４）は筐体（１４）とは別個であり、例えばリングの形状で、容器（６）の上に配置され得る。図４Ｊ〜図４Ｍは、容器の特定の実施形態の写真を示す。
【００５０】
図４Ｎは、リングの形状の位置決め手段の実施形態の写真を示す。
【００５１】
位置決め手段を除いて、本発明による装置は、従来技術で知られている試験装置に基づいてよい。一実施形態では、前記装置は、試験されるべき容器に配置されるアダプタであり、一般的な漏れ検出システムと互換性がある。特に、装置はフランジまたはリングであってよい。あるいは、本発明による装置は、閉鎖完全性を試験するのに適した装置の一部であってよい。
【００５２】
容器閉鎖完全性試験における漏れ検出のための装置は当業者には公知である。一般に、これらの装置は質量分光ヘリウム検出に基づく。
【００５３】
位置決め手段の他に、本発明の第２の重要な特徴は、位置決め手段としても実行するように構成されてよい密閉手段である。本発明の一実施形態では、密閉手段は少なくとも１つのＯリングを備える。
【００５４】
したがって、一実施形態では、本発明は装置に関し、密閉手段は少なくとも１つのＯリングを備える。
【００５５】
密閉手段は、可撓性材料から作られることが好ましい。好ましくは、前記可撓性材料は、容器を保持し、チャンバを密閉することができ、チャンバの排気を可能にする。好ましい実施形態では、前記密閉手段は、ゴム、ラテックス、またはシリコーンなどのエラストマから選択された材料から作られる。しかしながら、チャンバの密閉を可能にするいかなる材料も適している。
【００５６】
したがって、一実施形態では、本発明は装置に関し、密閉手段は弾性材料から作られる。
【００５７】
弾性材料は、ゴム、ラテックス、またはシリコーンに基づくものとすることができる。
【００５８】
位置決め手段として働くように構成された密閉手段の一例は、図４Ｅおよび図４Ｆに見ることができる。１つの非限定的な実施形態では、前記組み合わされた位置決め手段および密閉手段はＯリングを備え、Ｏリングは、閉鎖システムを有する容器の上部が通り抜けることを可能にするが、容器全体が通ることを可能にしない。
【００５９】
これは、閉鎖システムの直径よりも大きいが、容器の最大直径よりも小さい直径を有するＯリングで実現されてよい。当業者は、別の適切な実施形態に容易に気付くであろう。
【００６０】
本発明では、位置決め手段は密閉手段から独立している。位置決め手段は、追加のＯリング、または単に閉鎖システムが装置の壁と接触しないように防止する装置内のストッパであってよい。
【００６１】
したがって、本発明の一実施形態では、位置決め手段はＯリングを備える。
【００６２】
本発明の一実施形態では、位置決め手段は少なくとも１つのストッパを備える。本発明の意味の範囲内のストッパは、例えば、装置の壁から延在し（図４Ｃまたは図４Ｄを参照）、容器が規定された位置を乗り越えないように防止する、単純な突起であってよい。
【００６３】
前記栓は、容器が通過しないように防止する装置の壁に配置され得るか、または装置の壁、好ましくは装置の壁の上部から延在して、停止点を提供することができる。好ましくは、位置決め手段は、装置内の容器の閉鎖システムを中心に置くことを可能にする。
【００６４】
好ましい実施形態では、位置決め手段は、閉鎖システムが装置の壁と接触しない規定された位置に容器を保持するように構成される。位置決め手段はまた、容器の正しい向きを確保するように構成され得る。好ましくは、位置決め手段は、チャンバ内への容器の移動を防止する。
【００６５】
好ましい実施形態では、位置決め手段はストッパであり、このストッパは装置の壁と一体である。
【００６６】
特定の実施形態では、装置の壁は、位置決め手段として機能するような形状であり、閉鎖システムが装置の壁と接触しないように挿入された容器を保持する。
【００６７】
言い換えれば、位置決め手段は、閉鎖システムが装置と接触しないように防止するべきである。したがって、位置決め手段が配置された容器を保持するのに適していることが重要である。位置決め手段を持たない従来技術の装置では、例えば、装置またはチャンバの下流部分と上流部分との間の圧力差のために、容器が動く可能性がある。したがって、位置決め手段は、圧力差が加えられたときでも、容器の再配置を防止するべきである。
【００６８】
位置決め手段は、密閉手段と同じ材料であっても、異なる材料であってもよい。
【００６９】
本発明の一実施形態では、位置決め手段は密閉手段と同じ材料から作られる。
【００７０】
別の好ましい実施形態では、前記材料は、例えばゴム、ラテックス、またはシリコーンから選択されたエラストマなどの可撓性材料である。
【００７１】
別の実施形態では、位置決め手段は、プラスチック、金属、または剛性複合材料などの剛性材料から作られる。
【００７２】
対照的に、位置決め手段が装置の不可欠な部分である場合、例えば、壁が位置決め手段として働くように形作られている場合、容器を損傷しないように位置決め手段が配置および配列されることが好ましい。
【００７３】
位置決め手段は、装置の壁と同じ材料または異なる材料から作られてよい。位置決め手段が装置と一体である場合、位置決め手段は装置と同じ材料から作られていることが好ましい。
【００７４】
装置および特に筐体は、任意の適切な材料から作られてよい。特に適切な材料には、金属、合金、またはプラスチックが含まれるが、それらに限定されない。
【００７５】
本発明の一実施形態では、筐体は、プラスチック、金属、または合金から作られる。
【００７６】
好ましい実施形態では、筐体の少なくとも一部は、鋼、アルミニウム、またはプラスチックから作られる。
【００７７】
より好ましくは、筐体は、大部分が鋼、アルミニウム、またはプラスチックから作られる。
【００７８】
装置は、その寸法によって規定される特定のタイプの容器に構成および／または大きさが調整されてよい。あるいは、位置決め手段および／または密閉手段は、容器の異なる大きさまたは形状への装置の適合を可能にするために交換可能であってよい。装置が異なる大きさの容器または異なる容器形状に適合可能である場合、交換可能な密閉手段および／または位置決め手段は同じ材料から作られていることが好ましい。好ましくは、この場合、密閉手段は、位置決め手段として機能するように構成される。
【００７９】
本発明の一実施形態は、容器の閉鎖システムの完全性を試験するように構成された装置であり、閉鎖システムの直径は容器の最大直径よりも小さい。一実施形態では、位置決め手段は、閉鎖システムで閉鎖された容器の挿入中に閉鎖システムの移動を可能にするが、容器の移動を可能にせず、むしろ閉鎖システムがチャンバ（１）の壁（１５）と接触する前に容器の挿入を停止する。
【００８０】
装置は、チャンバを形成する、壁を有する筐体を備える。密閉手段は、容器が挿入される場合、前記チャンバの少なくとも一部が容器に対して密閉されるように配置される。上述したように、筐体は、プラスチック、金属、または合金から作られることが好ましい。より好ましくは、前記筐体は、鋼、アルミニウム、またはプラスチックから作られる。
【００８１】
試験条件が適用されるときに、チャンバの密閉された内部と外部環境との間の圧力差に筐体が耐えることが可能であることが不可欠である。
【００８２】
一実施形態では、装置は試験されるべき閉鎖システムを囲む容器の上部に配置されるように構成されるので、容器の底部は装置の外側にある。別の実施形態では、装置は試験されるべき閉鎖システムを備える容器を完全に包むように構成される。別の実施形態では、本発明の複数の装置を備える装置が提供される。
【００８３】
装置は、密閉可能なチャンバ内、または排気され得るチャンバの密閉可能な部分に少なくとも１つの出口を備える。前記出口は、試験ガス用の検出器を有する装置などの別の装置に出口を接続する手段を備えてよい。
【００８４】
したがって、本発明の好ましい実施形態では、装置は検出器に接続される。
【００８５】
好ましくは、検出器は質量分光計である。
【００８６】
試験ガス用の前記検出器は、任意の適切な試験ガスを検出してよい。好ましくは、前記試験ガスはヘリウムである。より好ましくは、試験ガスはヘリウムであり、検出器は質量分光ヘリウム検出器である。
【００８７】
出口は、別または代替の目的に役立ってよい。好ましくは、チャンバは排気され得る。排気は、試験ガスを検出するための装置にも接続された同じ出口、または別の出口を介して実行されてよい。好ましくは、チャンバは同じ出口を使用して排気される。
【００８８】
装置は、２つの筐体、容器（６）または容器の上部（６．１）が挿入される第１の筐体、および第１の筐体に接続され得る第２の筐体（８）を備えてよい。
【００８９】
図５は、２つの筐体を有する装置の実施形態を示す。
【００９０】
前記第２の筐体は、試験ガス用の入口を備えることが好ましい。第２の筐体は、試験ガスの圧力を制御するために使用され得る出口を備えることができる。
【００９１】
試験ガスは、密閉手段または閉鎖システムと相互作用してはならない。好ましくは、試験ガスは、ヘリウムまたは別の検出可能な不活性ガスである。好ましくは、試験ガスは、密閉手段または閉鎖システムを通って拡散可能なものであってはならない。
【００９２】
第２の筐体は、第１の筐体から分離可能であることが好ましい。第２の筐体は、追加の位置決め手段または密閉手段を備えてよい。好ましい実施形態では、第２の筐体は、挿入された容器を定位置に保持するための手段を備える。
【００９３】
全ての密閉手段および位置決め手段は、容器、特に容器の材料に適合されるべきである。好ましくは、容器は、圧力差に耐えることができる安定した材料から作られる。好ましくは、容器は、ガラス、プラスチック、または金属から作られる。誤解を避けるために、容器および閉鎖システムは、本発明の装置の一部ではない。
【００９４】
本発明の特定の実施形態では、本発明による装置は、温度制御のための手段、特に冷却手段および／または加熱手段を備えるか、またはそれに接続可能である。
【００９５】
好ましい実施形態では、装置は、コンピューティング装置に接続されるべき手段を備える。
【００９６】
特定の実施形態では、本発明による装置は、冷却手段をさらに備え、かつ／または冷却手段に接続可能である。
【００９７】
特定の実施形態では、装置は冷却手段に接続可能であり、装置および冷却手段はコンピューティング手段に接続可能である。異なる好ましい実施形態では、装置は、冷却手段およびコンピューティング装置に接続する手段をさらに備える。
【００９８】
本発明の好ましい実施形態では、冷却手段は、少なくとも容器（６）の閉鎖システム（１２）の冷却を可能にし、より好ましくは、冷却手段は、少なくとも閉鎖システムを備える容器の冷却を可能にし、さらにより好ましくは、冷却手段は、チャンバ（１）または特に好ましくは装置の冷却を可能にする。
【００９９】
好ましい実施形態では、冷却手段は、装置、チャンバ（１）、容器（６）、および／または閉鎖システム（１２）の順次的な、好ましくは連続的な冷却を可能にする。
【０１００】
好ましい実施形態では、冷却手段は、少なくとも−２０℃以下、好ましくは少なくとも−５０℃以下、より好ましくは少なくとも−８０℃以下、特に好ましくは−１００℃以下、より詳細には−１９６℃（７７Ｋ）以下の温度への冷却を可能にする。
【０１０１】
本発明はさらに、本発明による温度制御のための装置および手段を制御するように構成されたコンピューティングシステムに関する。
【０１０２】
試験されるべき閉鎖システムは、任意の適切な閉鎖システムであってよい。閉鎖システムの非限定的な例は、閉鎖される必要がある容器の開口部の実際の閉鎖または密閉に関与するエラストマ部分を備える。例として、エラストマ部分の材料はゴムまたはシリコーンである。エラストマ部分の形状は、プラグまたは蓋であり得る。閉鎖システムは、エラストマ部分を容器の開口部に固定するための手段も備えることができ、エラストマ部分を容器の開口部に固定するためのそのような手段の例は、金属クリンプである。好ましくは、閉鎖システムは、ゴムシーリングシステムと金属クリンプの組合せを備える。しかしながら、いかなる閉鎖システムも、本発明によるそれぞれ構成された装置を用いて試験されてよい。
【０１０３】
次に、本発明の特定の非限定的な実施形態が、図を参照して説明される。
【０１０４】
図１Ａは、従来技術による容器閉鎖完全性試験装置（１３）の概略断面図を示す。明確にするために、装置は、主開口部（６．２）および底部（６．３）を有する上部（６．１）を備える挿入された容器（６）とともに示されている。容器は閉鎖システム（１２）によって閉鎖される。装置自体は、容器（６）が挿入された場合、チャンバ（１）の形成を可能にする壁（１５）、出口（２）、および密閉手段を備える固体筐体（１４）から作られる。密閉手段（３）は、容器（６）と接触するように配置および装着され、チャンバ（１）が装置の残りから分離されることを可能にする。図１Ｂは、従来技術による装置の主な欠点を示し、容器（６）は、偶然またはおそらく圧力差のためにチャンバ（１）の奥まで配置され、壁（１５）と接触し、追加の圧力（１６）が閉鎖システム（１２）に加わる結果になり得る。
【０１０５】
図４Ａ〜図４Ｄおよび図４Ｇ〜図４Ｉは、本発明による装置（１３）の様々な実施形態の概略断面図を示す。視覚化を改善するために、閉鎖システム（１２）を備える容器（６）の有無にかかわらず、装置（１３）が示されている。従来技術による装置と同様に、本発明による装置は、壁（１５）、出口（２）、および容器（６）が挿入される場合にチャンバ（１）の形成を可能にする密閉手段を備える、固体筐体（１４）を備える。密閉手段（３）は、容器（６）と接触するように配置および装着され、チャンバ（１）が装置の残りから分離されることを可能にする。密閉手段（３）に加えて、装置は、容器（６）が壁（１５）または筐体（１４）の他の部分と接触しないように防止する位置決め手段（４、５）を備える。
【０１０６】
位置決め手段（４）は、別のＯリング（図４Ａ、４Ｂ）の形状であり得るか、またはストッパ（図４Ｃ、図４Ｄ）もしくは壁（５、１５）と一体化した部分（図４Ｇ、図４Ｈ）として設計されている。図４Ｅ、図４Ｆにおいて、位置決め手段（４）および密閉手段（３）は、より大きなＯリングに組み合わされる。いくつかの実施形態では、位置決め手段は、容器に接続されるべき独立した部分である（図４Ｉ）。
【０１０７】
図５は、壁（１５）、出口（２）、および密閉手段（３）を備える第１の筐体（１４）を備える、本発明による装置（１３）の断面を示し、密閉手段（３）は、容器（６）が挿入されている場合、チャンバ（１）の密閉を可能にする。密閉手段（３）は、容器（６）と接触するように配置および装着され、チャンバ（１）が装置の下流部分から密閉されることを可能にする。密閉手段（３）に加えて、装置は、閉鎖システム（１２）の壁（１５）または筐体（１４）の他の部分との接触を防止する位置決め手段（４）を備える。出口（２）は検出器に接続される。第１の筐体（１４）は第２の筐体（８）に接続され、試験ガス用の入口（９）および第２のチャンバ（１７）内の圧力制御用の出口（１０）を備える第２のチャンバ（１７）を形成する。図では、挿入された容器（６）が示され、容器は、閉鎖システム（１２）および試験ガスが容器に入ることを可能にする追加の開口部（６．４）を備える。
【０１０８】
第２の筐体は、試験ガス用の貯蔵槽として使用されてよく、第２のチャンバおよび容器の内部は試験ガス雰囲気で満たされている。本発明の好ましい実施形態では、前記雰囲気は、試験ガスの少なくとも５０％、さらにより好ましくは少なくとも７５％、特別に少なくとも８０％、より特別に少なくとも８５％、さらにより特別に少なくとも９０％、特に少なくとも９５％を備え、％は雰囲気の総体積に基づく体積％である。
【０１０９】
本発明の別の主題は、容器（６）を閉鎖する閉鎖システム（１２）の完全性を試験するための方法である。本方法は、本発明による装置を使用して実行されることを特徴とする。
一実施形態では、本方法は、
閉鎖システム（１２）で閉鎖された容器（６）を提供するステップと、
（ａ）容器閉鎖完全性試験装置（１３）のチャンバ（１）に容器（６）の閉鎖システム（１２）を配置するステップであって、チャンバ（１）の密閉壁（１５）が容器（６）と対向し、かつ、
容器が、試験ガスで試験用に満たされているか、または満たされることができ、
閉鎖システム（１２）が、チャンバ（１）の壁（１５）との接触を位置決めシステム（４、５）によって防止されているステップと、
（ｂ）容器（６）の内部と密閉されたチャンバ（１）の内部との間に圧力差を発生させるステップと、
（ｃ）閉鎖システム（１２）を通る試験ガスを検出するステップと、
を備える。
【０１１０】
容器の内部とチャンバ（１）の内部との間の圧力差は、例えば、チャンバ（１）の内部を排気することにより、容器の内部を加圧することにより、または両方の手段により、好ましくはチャンバ（１）の内部を排気することによって生成され得る。
【０１１１】
本発明の好ましい実施形態では、容器は非加圧容器である。
【０１１２】
好ましくは、前記容器閉鎖完全性試験装置は、上述の装置である。
【０１１３】
本発明の一実施形態では、閉鎖システムは、位置決め手段（４）によって試験装置の壁との接触が防止される（図４Ａ〜図４Ｉを参照）。
【０１１４】
方法の一実施形態では、閉鎖システムの直径は容器の最大直径よりも小さい。
【０１１５】
しかしながら、閉鎖システムの試験装置の壁との接触を防止するように構成されたいかなる試験装置も適切であり得る。
【０１１６】
本方法は、破壊的または非破壊的な方法であってよい。非破壊的な方法では、試験されるべき閉鎖システムを有する容器は、閉鎖システムで容器が閉鎖される前に試験ガスで満たされる。破壊的な方法では、閉鎖システムを有する容器は、試験装置の密閉手段の下に配置された別の開口部を備える。
【０１１７】
好ましくは、検出装置による試験ガスの検出は、試験ガスの濃度、流量または量の形態、より好ましくは流量の形態で行われる。
【０１１８】
本発明のいくつかの実施形態では、試験装置の内部が排気され、容器から検出された試験ガスが検出される。これらの場合、試験ガスの量、濃度、または流量が事前定義されたしきい値を下回る場合、容器は密閉されていると見なされてよい。好ましくは、試験ガスの流量が検出される。許容可能なしきい値は、容器、閉鎖システム、および使用目的に基づいて定義される。
【０１１９】
好ましくは、試験装置の内部、すなわち密閉されたチャンバ（１）内の圧力は、１００ｍｂａｒ未満、より好ましくは５０ｍｂａｒ未満、さらにより好ましくは２５ｍｂａｒ未満、特別に２０ｍｂａｒ未満、より特別に１０ｍｂａｒ未満、さらにより特別に５ｍｂａｒ未満、特に１ｍｂａｒ未満である。
【０１２０】
本発明の異なる実施形態では、好ましくは、試験装置の内部、すなわち密閉されたチャンバ（１）内に真空引きすることにより、圧力差が生成される。好ましくは、そのような実施形態では、容器の内部の試験ガスの圧力が一定に維持されている間、試験装置の内部の真空度は連続的に減少する。
【０１２１】
試験は、試験ガスが検出され得る圧力または圧力差を特定する。試験ガスが検出される圧力が事前定義されたしきい値を下回る場合、閉鎖システムは十分であると見なされる。前記しきい値は、容器の要件および内部に含まれる潜在的な組成物に応じて定義されるべきである。いくつかの実施形態では、試験ガスが１０−６ｍｂａｒのしきい値未満で検出され得る場合、閉鎖完全性は十分であると見なされる。
【０１２２】
本発明の特に好ましい実施形態では、容器は上述された装置に挿入され、容器は追加の開口部（６．４）を備え、好ましくは、追加の開口部は別のチャンバに配置され、好ましくは、前記別のチャンバでは、試験ガスの一定の圧力が維持される。追加の開口部（６．４）により、試験中に試験ガスが容器内を通ることができる。好ましくは、別のチャンバの内部は、規定量もしくは規定濃度の試験ガスで、または規定濃度の試験ガスを含む試験ガス雰囲気で満たされる。
【０１２３】
好ましい実施形態では、一定の圧力は大気圧である。
【０１２４】
好ましくは、容器は、試験ガスの少なくとも５０％、さらにより好ましくは少なくとも７５％、特別に少なくとも８０％、より特別に少なくとも８５％、さらにより特別に少なくとも９０％、特に少なくとも９５％を含む試験ガス雰囲気で満たされ、％は容器および／またはチャンバの内部雰囲気の総体積に基づく体積％である。
【０１２５】
本発明のより好ましい実施形態では、試験ガスはヘリウムであり、また本明細書に記載された試験ガスとしてのヘリウムの量の全ての可能な実施形態を有する。
【０１２６】
本発明による方法は、温度に依存せずに実行されるのに適している。
【０１２７】
一実施形態では、方法において温度は制御される。
【０１２８】
特に、方法は、一定の温度または変化する温度で実行されてよい。特に、方法は、典型的な保管温度で閉鎖システムの完全性を試験するのに適している。
【０１２９】
好ましくは、温度は、チャンバ（１）の、筐体（１４）の、壁（１５）の、または装置（１３）全体の温度を指し、容器（６）の、閉鎖システム（１２）の周囲の、またはそれらの組合せの温度が制御される。
【０１３０】
本明細書において言及される温度は、少なくとも閉鎖システムの温度および／または閉鎖システムの周囲の温度を指すことが好ましい。
【０１３１】
特定の実施形態では、筐体（１４）および壁（１５）は温度制御されている。
【０１３２】
いくつかの実施形態では、本方法は室温で実行される。特定の実施形態では、本方法は、１８〜２７℃、好ましくは２０〜２６℃、より好ましくは２２〜２５℃、さらにより好ましくは約２４〜２５℃で実行される。
【０１３３】
本方法は、室温よりも高いかまたは低い温度で実行されてよい。特に、本方法は、室温よりも低い温度で実行されてよい。いくつかの実施形態では、本方法は２０℃以下で、他の実施形態では１５℃以下で、別の実施形態では１０℃以下で実行される。
【０１３４】
本発明の特定の実施形態では、本方法は、０℃〜１０℃、好ましくは２℃〜８℃、より好ましくは３℃〜６℃、特に好ましくは４℃〜５℃で実行される。特定の実施形態では、本方法は４℃で実行される。
【０１３５】
本発明のいくつかの実施形態では、方法は凍結温度未満で実行される。いくつかの実施形態では、本方法は０℃以下で実行される。特定の実施形態では、本方法は、−４℃、−５℃、−６℃、−７℃、−８℃、−９℃、−１０℃以下で実行される。いくつかの実施形態では、本方法は、−１５℃以下、特に−２０℃以下で実行される。
【０１３６】
本方法は、さらに低い温度で実行されてよい。本発明のいくつかの実施形態において、本方法は、−３０℃、−４０℃、−５０℃、−６０℃、−７０℃、−８０℃、−９０℃、−１００℃以下で実行される。特定の実施形態では、本方法は、−７０℃〜−９０℃、好ましくは−７５℃〜−８５℃の温度で実行され、より好ましくは、本方法は−８０℃で実行される。
【０１３７】
冷却がドライアイスおよびイソプロピルアルコールの混合物に基づく場合、本方法は約−７７℃で実行されてよい。
【０１３８】
冷却が液体窒素に基づく場合、本方法は約−１９６℃で実行されてよい。
【０１３９】
いずれの場合も、温度は、現在では、当業者には公知の適切な冷却手段の使用により、多かれ少なかれ任意の特定の選択された温度に調整され得る。
【０１４０】
本方法はまた、異なる保管条件および使用条件に対する閉鎖システムの適合性を判断するために、様々な温度で実行されてよい。そのような実施形態では、本方法は、温度を変更するステップをさらに含む。
【０１４１】
特定の実施形態では、本発明は、容器（６）を閉鎖する閉鎖システム（１２）の完全性の温度依存性を試験するための方法に関し、
（ａ）容器閉鎖完全性試験装置（１３）のチャンバ（１）に容器（６）の閉鎖システム（１２）を配置し、チャンバ（１）の容器（６）と対向する壁（１５）を密封し、
容器（６）が閉鎖システム（１２）で閉鎖され、
容器が、試験ガスで試験用に満たされているか、または満たされることができ、
閉鎖システム（１２）が、チャンバ（１）の壁（１５）との接触を防止されている、ステップと、
（ｂ）容器（６）の内部と密閉されたチャンバ（１）の内部との間に圧力差を発生させるステップと、
（ｃ）閉鎖システム（１２）を通過する試験ガスを検出するステップと、
を備え、いかなる時点においても温度は制御される。
【０１４２】
好ましくは、閉鎖システム（１２）で閉鎖された容器（６）が提供され、容器は試験ガスで試験用に満たされるか、または満たされ得る。
【０１４３】
好ましくは、チャンバ（１）の、筐体（１４）の、壁（１５）の、装置（１３）全体の、容器（６）の、閉鎖システム（１２）の周囲の、またはそれらの組合せの温度が制御される。
【０１４４】
本方法における温度は上昇しても低下してもよい。いくつかの実施形態では、温度は低下する。
【０１４５】
本発明のいくつかの実施形態では、温度は順次変化する。他の実施形態では、温度は連続的に変化する。好ましい実施形態では、温度は線形に変化しながら連続的に変化する。特定の実施形態では、温度は線形速度で連続的に低下する。
【０１４６】
冷却または加熱の速度は、閉鎖システムを通過する試験ガスの量の変化を監視するのに適しているべきである。そのため、冷却または加熱の速度が速すぎてはならず、そうでなければ、温度と試験ガスの漏れ検出が正しく相関しない可能性がある。
【０１４７】
特に、本方法は、閉鎖システムの完全性に影響を与えることなく、容器の取扱いおよび保管に安全な温度を識別することを可能にする。
【０１４８】
特に、本方法は、閉鎖システムがもはや安全でなくなる温度を識別することを可能にする。
【０１４９】
これは、例えば、閉鎖システムを通過する試験ガスの量を測定し、特定のしきい値の検出された、通過するガスの温度を特定することによって行われ得る。
【０１５０】
一実施形態では、方法は制御された温度で行われ、温度は、本明細書ではＬＩＱＵＴＥＭＰと呼ばれる規定の温度を有する液体によって制御される。ＬＩＱＵＴＥＭＰは、熱の担体または冷却媒体として使用されることができ、冷却装置および／または加熱装置、好ましくは冷却装置に使用され得る任意の液体であってよい。適切なＬＩＱＵＴＥＭＰは、当業者には公知である、水、イソプロパノール、Ｎｏｖｅｃ（ＴＭ）７２００などのＮｏｖｅｃ（ＴＭ）（３Ｍ（Ｓｃｈｗｅｉｚ）ＧｍｂＨ、８８０３  リュシュリコン、スイス）、Ｄｏｗｔｈｅｒｍ（ＴＭ）（Ｄｏｗ  Ｅｕｒｏｐｅ  ＧｍｂＨ、８８１０  ホルゲン、スイス）などである。
【０１５１】
容器（６）が装置（１３）に挿入されると、好ましくは、筐体（１４）と容器（６）との間に位置し、閉鎖システム（１２）の反対側にある密閉手段（３）の側面に位置する隙間（２４）が形成される。
【０１５２】
ＬＩＱＵＴＥＭＰによる温度の制御は、好ましくは、筐体（１４）、壁（１５）、装置（１３）全体、隙間（２４）、またはそれらの組合せにＬＩＱＵＴＥＭＰを通すことによって行われる。
【０１５３】
一実施形態では、装置（１３）は、温度制御のための手段を備えるか、またはこれに接続することができる。
【０１５４】
好ましくは、温度制御のための前記手段は、それらの全ての実施形態と共に、本明細書に記載された温度制御を実行するように構成される。
【０１５５】
本発明はさらに、その全ての実施形態と共に本明細書で定義された装置（１３）に関し、装置（１３）は温度制御のための手段を備える。
【０１５６】
温度制御のための前記手段は、装置（１３）を冷却するため、筐体（１４）を冷却するため、および／または壁（１５）を冷却するための手段であり得る。好ましくは、温度制御のための前記手段は、ＬＩＱＵＴＥＭＰの使用による温度制御のための手段である。
【０１５７】
より好ましくは、温度制御のための前記手段は、筐体（１４）、壁（１５）、装置（１３）全体、隙間（２４）、またはそれらの組合せにＬＩＱＵＴＥＭＰを通すための手段である。
【０１５８】
本発明のいくつかの実施形態では、ＬＩＱＵＴＥＭＰ（２５）は、装置（１３）の前記隙間（２４）に満たされる。例えば、図６、図８Ｅ、および図８Ｆを参照されたい。ＬＩＱＵＴＥＭＰは、隙間（２４）を通過することなく、隙間（２４）にのみ満たされ得る。これは、例えば、壁（１５）からバイアル（６）の壁への温度の伝達を促進するために行われてよい。
【０１５９】
いくつかの実施形態では、装置（１３）、筐体（１４）、壁（１５）、またはそれらの組合せと接触しているチューブまたはパイプなどの、温度制御のための前記手段は、装置（１３）の外部冷却のため、筐体（１４）を冷却するため、もしくは壁（１５）を冷却するため、またはそれらの組合せのための手段によっても実現され得る。
【０１６０】
温度制御のための前記手段は、別個の装置ＤＥＶＣＯＯＬ（３０）によっても実現することができ、このＤＥＶＣＯＯＬは冷却され、かつ、例えば装置（１３）をＤＥＶＣＯＯＬに挿入することにより、装置（１３）を冷却するために使用される。
【０１６１】
いくつかの実施形態では、ＤＥＶＣＯＯＬは二重壁装置である。二重壁は、例えば、所望の温度で二重壁にＬＩＱＵＴＥＭＰを通すことにより、または二重壁によって構築された空間を隔離として使用することにより、温度制御を実行するために使用され得る。いくつかの実施形態では、装置（１３）はＤＥＶＣＯＯＬに挿入され得る。冷却効果は、装置（１３）の壁をＤＥＶＣＯＯＬの二重壁と接触させることにより、または当業者には公知の他の適切な手段により、ＤＥＶＣＯＯＬから装置（１３）に伝達され得る。装置（１３）の壁とＤＥＶＣＯＯＬの二重壁との間の前記接触は、直接接触または媒介接触であってよく、例えば、媒介接触は、ＬＩＱＵＴＥＭＰの使用によって媒介されることができる。
【０１６２】
ＤＥＶＣＯＯＬ（３０）に挿入された本明細書で定義される装置（１３）の概略図は、図７Ａに見ることができる。図７Ｂは、例示的な実施形態の写真を示す。
【０１６３】
一実施形態では、装置（１３）は、１つ以上の温度センサ（２６）を備えるか、または装置（１３）に１つ以上の温度センサを配置するための手段を有する。
【０１６４】
一実施形態では、１つ以上の温度センサは、容器（６）または装置（１３）または両方に配置され得るか、または位置する。
【０１６５】
一実施形態では、装置（１３）は、容器（６）内に１つ以上の温度センサ（２６）を保持するための装置ＤＥＶＴＥＭＰ（２７）を備えるか、またはこれと共に使用される。
【０１６６】
好ましくは、ＤＥＶＴＥＭＰは、容器（６）に配置され得るか、または位置する。
【０１６７】
ＤＥＶＴＥＭＰ（２７）の概略的な例が図８Ａに見ることができる。概して、本発明によるＤＥＶＴＥＭＰ（２７）は、温度センサ（２６）の挿入を可能にする少なくとも１つの開口部（２８）を備える。いくつかの実施形態では、ＤＥＶＴＥＭＰは複数の開口部を有する。いくつかの実施形態では、ＤＥＶＴＥＭＰは、少なくとも１つの温度センサを備えるか、または少なくとも１つの温度センサをＤＥＶＴＥＭＰに配置するための手段を有する。
【０１６８】
したがって、本発明の別の主題は、特定の型式の容器（６）に適合させた装置ＤＥＶＴＥＭＰ（２７）であり、ＤＥＶＴＥＭＰ（２７）は、その温度を測定するための手段を備え、また、試験ガスを前記容器（６）に通すための少なくとも１つの手段を備える。
【０１６９】
いくつかの実施形態では、前記開口部（２８）は、正確な温度測定を可能にするためにＬＩＱＵＴＥＭＰ（２５）で満たすことができ、例えば、開口部（２８）にＬＩＱＵＴＥＭＰ（２５）が満たされたとき、次いで、ＤＥＶＴＥＭＰから開口部（２８）に挿入された温度センサへの温度の伝達をＬＩＱＵＴＥＭＰが媒介する。
【０１７０】
ＤＥＶＴＥＭＰは、任意の適切な材料から作られてよいが、金属製であることが好ましい。
【０１７１】
好ましい実施形態では、ＤＥＶＴＥＭＰは特定の形式の容器（６）に適合される。
【０１７２】
当業者には、ＤＥＶＴＥＭＰを容器に装着するためのＤＥＶＴＥＭＰへの可能な構成が公知である。
【０１７３】
いくつかの実施形態では、ＤＥＶＴＥＭＰは容器に挿入されるように構成される（例えば、図８Ｃまたは図８Ｄを参照）。
【０１７４】
ＤＥＶＴＥＭＰはまた、試験ガスが容器を通過することを可能にするように構成され得る。したがって、ＤＥＶＴＥＭＰは、試験ガスを容器に通すための手段を備えることが好ましい。
【０１７５】
いくつかの実施形態では、試験ガスを容器に通すための前記手段は、試験ガスが容器を通るための所定の隙間（２９）または入口（２９）が残るようにＤＥＶＴＥＭＰを成形することによって実現される。特定の実施形態では、前記入口（２９）はＤＥＶＴＥＭＰ内の穴である。
【０１７６】
本発明の別の主題は、特定のタイプの容器（６）に適合されるＤＥＶＴＥＭＰであり、ＤＥＶＴＥＭＰは、温度センサの挿入を可能にする少なくとも１つの開口部（２８）を備え、試験ガスを容器に通すための少なくとも１つの手段を備える。
【０１７７】
ＤＥＶＴＥＭＰはまた、温度制御のための装置を備えてよいか、またはそれに接続され得る。いくつかの実施形態では、ＤＥＶＴＥＭＰはＤＥＶＣＯＯＬと接続されてよい。例えば、図８Ｅおよび図８Ｆを参照されたい。いくつかの実施形態では、ＤＥＶＴＥＭＰは少なくとも１つの温度センサを備え、前記温度センサはＤＥＶＣＯＯＬと接続される。
【０１７８】
本発明はさらに、その全ての実施形態と共に本明細書に記載された装置（１３）に、それらの全ての実施形態と共に本明細書に記載された方法のいずれかを実行させる命令を備えるコンピュータプログラムに関する。
【０１７９】
好ましくは、コンピュータプログラムは、本発明の全ての実施形態と共に本明細書で定義された温度制御のための温度制御手段を備える装置（１３）に、それらの全ての実施形態と共に本明細書に記載された方法のいずれかを実行させる命令を備える。
【０１８０】
好ましくは、その全ての実施形態と共に本明細書に記載された装置（１３）は、試験ガス用の検出器を有する装置に接続され、コンピュータプログラムは、装置（１３）および試験ガス用の検出器を有する装置に、それらの全ての実施形態とともに本明細書に記載された方法のいずれかを実行させる命令を備える。
【０１８１】
好ましくは、その全ての実施形態と共に本明細書に記載された装置（１３）は、試験ガス用の検出器を有する装置および温度制御のための装置ＤＥＶＣＯＯＬに接続され、コンピュータプログラムは、装置（１３）、試験ガス用の検出器を有する装置、およびＤＥＶＣＯＯＬに、それらの全ての実施形態と共に本明細書に記載された方法のいずれかを実行させる命令を備える。
【０１８２】
本発明はさらに、その全ての実施形態と共に本明細書で定義されたコンピュータプログラムを記憶したコンピュータ可読媒体に関する。
【０１８３】
本発明の別の主題は、滅菌組成物用の医薬品容器の閉鎖システムの閉鎖完全性を試験するために、上記で定義された方法または装置の使用である。
【０１８４】
本発明の別の実施形態では、好ましくはＣＣＩの試験中に、容器内の試験ガスの存在、例えば、濃度が検出される。これは、例えば、ＣＣＩの試験中に実際に試験ガスが容器内に存在することを検証または確認するために行うことができる。容器内の試験ガスのこの検出はまた、コンピュータプログラムの指示に含めることができる。
【０１８５】
（実施例）
実施例１
閉鎖システムを有する異なる容器の容器閉鎖完全性の分析
ヘリウム漏れ測定を実行するために、ＡＳＭ３４０質量分光ヘリウム漏れ検出器（Ｐｆｅｉｆｅｒ  Ｖａｃｕｕｍ、アスラー、ドイツ）が使用された。
【０１８６】
バイアルは、シリコーンコーティングを施した２０ｍｍのゴム栓で密閉されたＤＩＮ  ＩＳＯ８３６２と同様の５０ｍＬ標準チューブガラスバイアルであった。ゴム栓は、突出しているプラスチック製のフリップオフボタンを有する２０ｍｍのアルミニウム製圧着キャップによって定位置に保持された。バイアルの公称外径は４２．５ｍｍ、総高さは７３ｍｍであった。バイアルの開口部の内径は１２．６ｍｍ、外径は２０ｍｍであった。
【０１８７】
手短に言えば、密閉された５０ｍＬの試験バイアルは、底部をダイヤモンドブレードで切り開かれた。次いで、試験バイアルは密閉された丸いフランジを有する社内製造の試験装置に配置され、フランジとバイアルの壁との間にシールが作成され、それにより、バイアルの閉鎖システムおよびヘリウム漏れ検出器がガス接続されたが、外部から密閉された。このガス接続は、真空ポンプによって排気され、ヘリウムガスがバイアルの底面に散布された。この試験設定では、バイアルの底部から検出器へのヘリウムガスの唯一の経路は、バイアルの閉鎖システムの漏れ、すなわち、バイアル開口部の密閉領域にあるか、またはバイアルヘッドの肩部にあるガラスの割れ目を通る。
【０１８８】
閉鎖システムに人為的な漏れを発生させるために、定義されたサイズの銅線が使用された。
【０１８９】
容器閉鎖完全性は、位置決め手段無しと位置決め手段有りの両方で、デフォルトシステムを使用して測定された。位置決め手段は、バイアル上に配置されたリング形（図４Ｎ）で、閉鎖システムの上部を囲み、その上に広がる（図４Ｊ〜図４Ｍを参照）。したがって、ある場合には閉鎖システムがチャンバ壁と接触することが可能であったが、位置決め手段がある場合、閉鎖システムの壁との接触はリングによって防止された。
【０１９０】
サンプルバイアルの分析結果が以下の表１〜表３に示されている。
【０１９１】
ＡＶＧは平均を意味し、ＳＴＤは標準偏差を意味する。
【０１９２】
【表１】
0006983310.tif 000002
【０１９３】
【表２】
0006983310.tif 000003
【０１９４】
【表３】
0006983310.tif 000004
【０１９５】
本発明を使用しない１０μｍのワイヤ人工漏出を伴う１０個の試験された５０ｍＬバイアルの平均ヘリウム漏出率は、７．７６−１０−６ｍｂａｒ＊Ｌ／秒であった（表３を参照）。対照的に、本発明を使用する１０マイクロメートルのワイヤ人工漏出を伴う１０個の試験された５０ｍＬバイアルの平均ヘリウム漏出率は、１．００・１０−５ｍｂａｒ＊Ｌ／秒であった。閉鎖システムがフランジに押し付けられた結果、閉鎖システムの操作、すなわち高いゴム栓の圧縮が生じるので、本発明を使用しない測定の場合のヘリウム漏出率は小さかった。
【０１９６】
米国薬局方第１２０７章（ＵＳＰ＜１２０７＞、Ｐａｃｋａｇｅ  Ｉｎｔｅｇｒｉｔｙ  Ｅｖａｌｕａｔｉｏｎ−Ｓｔｅｒｉｌｅ  Ｐｒｏｄｕｃｔｓ．ｐｐ１７００〜１７０７）は、６−１０−６ｍｂａｒ＊Ｌ／秒の許容基準を提案している。ヘリウム漏出率が６−１０−６ｍｂａｒ＊Ｌ／秒未満の閉鎖システムは緊密と見なされ、微生物の侵入を防止することができる。表３では、バイアル６の場合、本発明を使用しない場合のヘリウム漏出率は５．９０−１０−６ｍｂａｒ＊Ｌ／秒であり、本発明を使用する場合は１．５−１０−５ｍｂａｒ＊Ｌ／秒であった。言い換えれば、バイアルは、本発明を使用しないＵＳＰ勧告に準拠しており、位置決め手段を使用する場合と同様に測定されたときに準拠していないように試験された。
【０１９７】
概して、方法は、位置決め手段を使用する測定と比較して、ほぼ全てのバイアルのヘリウム漏出率が低いことを示しており、測定が閉鎖システムの装置の壁との接触によって影響を受けることを示し、接触は、装置の壁に対する閉鎖システムを有するバイアルを吸引した真空圧によって引き起こされた。
【０１９８】
実施例２
温度制御された容器閉鎖システムの完全性分析
別の実験では、温度が容器閉鎖完全性システムに与える影響が分析された。実施例１に記載された密閉バイアルが使用された。
【０１９９】
バイアルは、実施例１に記載されたように調製されたが、人工漏出の導入はなかった。実施例１に記載されたように測定が実行されたが、さらに、温度制御装置ＤＥＶＴＥＭＰを使用して閉鎖システムの周囲の温度が制御された。図７を参照されたい。図８Ａ、図８Ｃ〜図８Ｇに示された装置を使用して温度が特定された。
【０２００】
上述されたように、隙間（２４）は、筐体（１４）とバイアルであった容器（６）との間に位置し、容器（６）は、閉鎖システム（１２）の反対側にあった密閉手段（３）の側に位置し、壁（１５）からバイアル（６）の壁に、そこからＤＥＶＴＥＭＰ（２７）への温度の伝達を促進するために、ＮＯＶＥＣ（ＴＭ）７２００で満たされた。
【０２０１】
ＤＥＶＴＥＭＰ（２７）は２つの開口部（２８）を有し、各開口部に１つの温度センサ（２６）が挿入された。２つの開口部（２８）の内の１つの残りの空間はＮＯＶＥＣ（ＴＭ）７２００で満たされ、もう１つの開口部（２８）の残りの空間は水で満たされた。
【０２０２】
ＤＥＶＣＯＯＬ（３０）は、装置（１３）が挿入された二重壁の装置であった。
【０２０３】
実験は、装置（１３）、温度制御用の装置ＤＥＶＣＯＯＬ（３０）、すなわち二重壁装置、装置ＤＥＶＴＥＭＰ（２７）および温度センサ、ならびに試験ガスとしてのヘリウムを検出するための検出器を制御する命令を含むコンピュータプログラムを使用して行われた。
【０２０４】
この実験で使用された特定の実施形態は、図７Ｂ、図８Ｃおよび図８Ｇ、図１０Ａ〜図１０Ｄに示されている。
【０２０５】
測定は＋２０℃〜−８０℃の温度範囲で実行され、冷却速度は約−２．３℃／分であった。
【０２０６】
この実施例で生成されたデータ値が図９にグラフで示されている。温度がヘリウム漏出率（黒点）に影響を与え、したがって閉鎖完全性にも影響を与えることがはっきりと見えるが、正しく密閉されたバイアルでは、漏出率は所定のしきい値（灰色の線）を下回る。
【０２０７】
実施例で生成されたデータ値が表４に列挙されている。
【０２０８】
【表４】
0006983310.tif 000005
0006983310.tif 000006
0006983310.tif 000007
0006983310.tif 000008
【図１Ａ】
0006983310.tif 000009
【図１Ｂ】
0006983310.tif 000010
【図２Ａ】
0006983310.tif 000011
【図２Ｂ】
0006983310.tif 000012
【図３Ａ】
0006983310.tif 000013
【図３Ｂ】
0006983310.tif 000014
【図３Ｃ】
0006983310.tif 000015
【図３Ｄ】
0006983310.tif 000016
【図４Ａ】
0006983310.tif 000017
【図４Ｂ】
0006983310.tif 000018
【図４Ｃ】
0006983310.tif 000019
【図４Ｄ】
0006983310.tif 000020
【図４Ｅ】
0006983310.tif 000021
【図４Ｆ】
0006983310.tif 000022
【図４Ｇ】
0006983310.tif 000023
【図４Ｈ】
0006983310.tif 000024
【図４Ｉ】
0006983310.tif 000025
【図４Ｊ】
0006983310.tif 000026
【図４Ｋ】
0006983310.tif 000027
【図４Ｌ】
0006983310.tif 000028
【図４Ｍ】
0006983310.tif 000029
【図４Ｎ】
0006983310.tif 000030
【図５】
0006983310.tif 000031
【図６】
0006983310.tif 000032
【図７Ａ】
0006983310.tif 000033
【図７Ｂ】
0006983310.tif 000034
【図８Ａ】
0006983310.tif 000035
【図８Ｂ】
0006983310.tif 000036
【図８Ｃ】
0006983310.tif 000037
【図８Ｄ】
0006983310.tif 000038
【図８Ｅ】
0006983310.tif 000039
【図８Ｆ】
0006983310.tif 000040
【図８Ｇ】
0006983310.tif 000041
【図９】
0006983310.tif 000042
【図１０Ａ】
0006983310.tif 000043
【図１０Ｂ】
0006983310.tif 000044
【図１０Ｃ】
0006983310.tif 000045
【図１０Ｄ】
0006983310.tif 000046